(57)【要約】【課題】折れや曲がりのない均一形状であった、機械的強度及び透水性等に優れた中空糸膜を、簡便かつ容易な方法によって製造することができる中空糸膜の製造方法を提供することを目的とする。【解決手段】二重管ノズルの内側ノズルに非溶媒を、かつ外側ノズルに樹脂溶液を供給し、該非溶媒及び樹脂溶液を凝固槽中に吐出して中空糸膜を製造する方法であって、前記樹脂溶液を、鉛直方向±３０°で凝固槽中に吐出し、凝固させて製膜し、得られた膜を、Ｒ＝１〜１０ｍでの放物線状の進路で引取り、その後、前記膜を水平方向に引き取って、水平状態で切断することを特徴とする中空糸膜の製造方法。【選択図】図１
2013116461.tif 000002
【特許請求の範囲】
【請求項１】
二重管ノズルの内側ノズルに非溶媒を、かつ外側ノズルに樹脂溶液を供給し、該非溶媒及び樹脂溶液を凝固槽中に吐出して中空糸膜を製造する方法であって、
前記樹脂溶液を、鉛直方向±３０°で凝固槽中に吐出し、凝固させて製膜し、
得られた膜を、Ｒ＝１〜１０ｍでの放物線状の進路で引取り、
その後、前記膜を水平方向に引き取って、水平状態で切断することを特徴とする中空糸膜の製造方法。
【請求項２】
ターンロールを用いて、前記膜を放物線状の進路で引き取る請求項１に記載の中空糸膜の製造方法。
【請求項３】
得られた中空糸膜の内径を４〜１０ｍｍとする請求項１又は２に記載の中空糸膜の製造方法。
【請求項４】
前記樹脂溶液を、重合度２００〜２０００の塩化ビニル系樹脂の略単一素材の樹脂溶液とする請求項１〜３のいずれか１つに記載の中空糸膜の製造方法。
【請求項５】
前記塩化ビニル系樹脂が、５６．７〜７３．２％塩素含有率の塩素化塩化ビニル系樹脂である請求項４に記載の中空糸膜の製造方法。
【請求項６】
前記塩化ビニル系樹脂における塩化ビニル系モノマー単位の質量割合が５０〜９９質量％である請求項４又は５に記載の中空糸膜の製造方法。
【発明の詳細な説明】
【技術分野】
【０００１】
本発明は、中空糸膜の製造方法に関する。
【背景技術】
【０００２】
従来から、例えば、河川水及び地下水の除濁、工業用水の清澄、排水及び汚水処理、海水淡水化の前処理等の水の精製のために、中空糸膜が利用されている。
このような中空糸膜は、通常、水処理装置において分離膜として利用されており、例えば、ポリスルホン（ＰＳ）系、ポリビニリデンフルオライド（ＰＶＤＦ)系、ポリエチレン（ＰＥ）系、酢酸セルロース（ＣＡ)系、ポリアクリロニトリル（ＰＡＮ)系、ポリビニルアルコール（ＰＶＡ）系、ポリイミド（ＰＩ）系等の種々の高分子材料によって形成された、中空糸状の多孔質膜が利用されている。
【０００３】
このような種々の材料からなる中空糸状の多孔質膜を製造するために、二重管状の金型を利用して、中空部となる内側に非溶媒による凝固水を送り、かつ、外側に樹脂と溶媒とからなる樹脂溶液を送り、これら凝固水及び樹脂溶液とを金型から吐出し、凝固槽に浸漬させて相分離を行なう非溶媒誘起相分離法（ＮＩＰＳ法）が利用されている（例えば、特許文献１等）。
この方法では、樹脂溶液を空気中に吐出して、一旦空気に接触させ、樹脂溶液中の溶媒を蒸発させることによってスキン層を形成し、その後、重力により鉛直方向に落下させて凝固槽へ浸漬させ、樹脂成分を凝固させて製膜している。そして、得られた膜を、ローラーなどのガイドに沿わせることにより、異なる引き取り方向に移送し、最終的に引き取り方向を水平にし、切断している。
【０００４】
しかし、中空糸状の多孔質膜の口径が大きくなるにつれて、上記製膜方法における屈曲等によって、多孔質膜に折れ、うねり、そり、偏肉等が発生する。また、巻き取りによっては、膜形状が扁平化するなど、均質な中空糸膜を製造することが極めて困難となる。その結果、上述した特性を十分に満足させる中空糸膜が得られないという課題もある。
【０００５】
また、例えば、ポリフッ化ビニリデンを湿式紡糸するために、水平型の凝固槽を用い、樹脂溶液を横方向に吐出させる方法なども提案されている（特許文献２）。
しかし、この方法では、樹脂溶液を、凝固槽中で吐出するために、一旦空気に接触させることに起因した性能の制御が不可能となり、また金型中での樹脂詰まりが起こりやすいなどの課題がある。
【先行技術文献】
【特許文献】
【０００６】
【特許文献１】特開２０１０−８２５０９号公報
【特許文献２】特開平４−３４３７０７号公報
【発明の概要】
【発明が解決しようとする課題】
【０００７】
本発明は上記課題に鑑みなされたものであり、折れや曲がりのない均一形状であって、機械的強度及び透水性等に優れた中空糸膜を、簡便かつ容易な方法によって製造することができる中空糸膜の製造方法を提供することを目的とする。
【課題を解決するための手段】
【０００８】
本発明は、以下の発明を含む。
[１]二重管ノズルの内側ノズルに非溶媒を、かつ外側ノズルに樹脂溶液を供給し、該非溶媒及び樹脂溶液を凝固槽中に吐出して中空糸膜を製造する方法であって、
前記樹脂溶液を、鉛直方向±３０°で凝固槽中に吐出し、凝固させて製膜し、
得られた膜を、Ｒ＝１〜１０ｍでの放物線状の進路で引取り、
その後、前記膜を水平方向に引き取って、水平状態で切断することを特徴とする中空糸膜の製造方法。
[２]ターンロールを用いて、前記膜を放物線状の進路で引き取る[１]に記載の中空糸膜の製造方法。
[３]得られた中空糸膜の内径を４〜１０ｍｍとする[１]又は[２]に記載の中空糸膜の製造方法。
[４]前記樹脂溶液を、重合度２００〜２０００の塩化ビニル系樹脂の略単一素材の樹脂溶液とする[１]〜[３]のいずれか１つに記載の中空糸膜の製造方法。
[５]前記塩化ビニル系樹脂が、５６．７〜７３．２％塩素含有率の塩素化塩化ビニル系樹脂である[４]に記載の中空糸膜の製造方法。
[６]前記塩化ビニル系樹脂における塩化ビニル系モノマー単位の質量割合が５０〜９９質量％である[４]又は[５]に記載の中空糸膜の製造方法。
【発明の効果】
【０００９】
本発明の中空糸膜の製造方法によれば、折れや曲がりのない均一形状であって、機械的強度及び透水性等に優れた中空糸膜を、簡便かつ容易な方法によって製造することが可能となる。
【図面の簡単な説明】
【００１０】
【図１】本発明の中空糸膜の製造方法における樹脂溶液の吐出から膜の切断までの工程を説明するための凝固槽付近の概略断面図である。
【発明を実施するための形態】
【００１１】
本発明の中空糸膜の製造方法は、相分離法、延伸法、トラックエッチング法などを利用することができるが、相分離法、特に非溶媒誘起相分離法を利用することが好ましい。
本発明の中空糸膜の製造方法では、（ａ）樹脂溶液を調製し、（ｂ）樹脂溶液を吐出・凝固させて製膜し、（ｃ）得られた膜を引取り、（ｄ）切断する工程を含む。
【００１２】
（ａ）樹脂溶液の調製
本発明で使用される樹脂溶液は、略単一素材の樹脂を含むものであれば、どのような材料を用いてもよい。
ここで、略単一とは、実質的に単一、つまり、主要構成素材が１種であることを意味する。例えば、高分子水処理膜を形成する樹脂として、１種の樹脂が５０質量％以上（好ましくは６０質量％以上、より好ましくは７０質量％以上）を占めていることを意味し、その１種の樹脂の性質が構成素材の性質を支配していることをも意味する。具体的には、１種の樹脂が５０〜９９質量％を有する素材を意味する。
なお、単一の素材及び単一の主要構成素材には、樹脂の製造の際又は後述する中空糸膜の製造の際に通常用いられる添加剤は含まれないことを意図している。
【００１３】
略単一素材としては、当該分野において一般的に使用される材料／素材を用いることができるが、なかでも、塩化ビニル系樹脂であることが好ましい。
塩化ビニル系樹脂としては、塩化ビニル単独重合体（塩化ビニルホモポリマー）、共重合可能な不飽和結合を有するモノマーと塩化ビニルモノマーとの共重合体、重合体に塩化ビニルモノマーをグラフト共重合したグラフト共重合体、これらの塩化ビニルモノマー単位が塩素化されたものからなる（共）重合体等が挙げられる。これらは単独で用いてもよいし、２種以上併用してもよい。特に、耐汚染性を向上するために、親水性モノマーが共重合されていることが適している。
塩化ビニルモノマー単位の塩素化は、重合前に行われていてもよいし、重合した後に行われていてもよい。
また、塩化ビニル（塩素化塩化ビニルを含む）の共重合体とする場合には、塩化ビニルモノマー（塩素化塩化ビニルを含む）単位以外のモノマー単位の含有率は、本来の性能を阻害しない範囲とし、塩化ビニルモノマー由来の単位（塩素化塩化ビニルモノマー由来の単位を含む）を５０質量％以上、例えば、５０〜９９質量％含むことが好ましい（ここでの質量計算では、塩化ビニル系樹脂中には、可塑剤、当該共重合体樹脂にブレンドされるその他の重合体を含まない）。
【００１４】
塩化ビニル系樹脂には、別のモノマー又はポリマーがブレンドされていてもよい。特に、耐汚染性を向上するために、親水性モノマー含有共重合体又は親水化ポリマーをブレンドすることが好ましい。この場合、塩化ビニル系樹脂が、膜を構成する全樹脂に対して５０質量％以上（好ましくは６０質量％以上、より好ましくは７０質量％以上）で含有され、ブレンドされるモノマー又はポリマーは、全樹脂の５０質量％未満である。
【００１５】
塩化ビニルモノマーと共重合可能な不飽和結合を有するモノマーとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−ペンチル（メタ）アクリレート、ネオペンチル（メタ）アクリレート、シクロペンチル（メタ）アクリレート、ｎ−ヘキシル（メタ）アクリレート、シクロヘキシル（メタ）アクリレート、ｎ−オクチル（メタ）アクリレート、イソオクチル（メタ）アクリレート、２−エチルヘキシル（メタ）アクリレート、ｎ−デシル（メタ）アクリレート、イソデシル（メタ）アクリレート、ラウリル（メタ）アクリレート、トリデシル（メタ）アクリレート、ステアリル（メタ）アクリレート、イソステアリル（メタ）アクリレート、ベヘニル（メタ）アクリレート、フェニル（メタ）アクリレート、トルイル（メタ）アクリレート、キシリル（メタ）アクリレート、ベンジル（メタ）アクリレート、２−エトキシエチル（メタ）アクリレート、２−ブトキシ（メタ）アクリレート、２−フェノキシ（メタ）アクリレート、３−メトキシプロピル（メタ）アクリレート、３−エトキシプロピル（メタ）アクリレート等の（メタ）アクリル酸誘導体；エチレン、プロピレン、ブチレン等のα−オレフィン類；酢酸ビニル、プロピオン酸ビニル等のビニルエステル類；ブチルビニルエーテル、セチルビニルエーテル等のビニルエーテル類；スチレン、α−メチルスチレン等の芳香族ビニル類；塩化ビニリデン、フッ化ビニリデン等のハロゲン化ビニルビニル類；Ｎ−フェニルマレイミド、Ｎ−シクロヘキシルマレイミド等のＮ−置換マレイミド類、（メタ）アクリル酸、無水マレイン酸、アクリロニトリル等が挙げられる。これらは単独で用いてもよいし、２種以上併用してもよい。例えば、さらなる柔軟性や対汚染性、耐薬品性を付与するため、酢酸ビニル、アクリル酸エステル、エチレン、プロピレン、フッ化ビニリデンを共重合又はブレンドすることが適している。
【００１６】
塩化ビニルにグラフト共重合する重合体としては、塩化ビニルにグラフト重合させることができるものであれば特に限定されず、例えば、エチレン−酢酸ビニル共重合体、エチレン−酢酸ビニル−一酸化炭素共重合体、エチレン−エチルアクリレート共重合体、エチレン−ブチルアクリレート−一酸化炭素共重合体、エチレン−メチルメタクリレート共重合体、エチレン−プロピレン共重合体、アクリロニトリル−ブタジエン共重合体、ポリウレタン、塩素化ポリエチレン、塩素化ポリプロピレン等が挙げられる。これらは単独で用いてもよいし、２種以上併用してもよい。
【００１７】
さらに、高分子膜を構成するモノマー材料として、架橋性モノマーを用いてもよい。架橋性モノマーとしては、エチレングリコールジ（メタ）アクリレート、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、１，２−ブチレングリコールジ（メタ）アクリレート、１，３−ブチレングリコールジ（メタ）アクリレート、ネオペンチルグリコールジ（メタ）アクリレート、グリセリンジ（メタ）アクリレート、グリセリントリ（メタ）アクリレート、トリメチロールプロパントリ（メタ）アクリレート、ペンタエリスリトールテトラ（メタ）アクリレート等の多価アルコールの（メタ）アクリル酸エステル類；
Ｎ−メチルアリルアクリルアミド、Ｎ−ビニルアクリルアミド、Ｎ，Ｎ'−メチレンビス（メタ）アクリルアミド、ビスアクリルアミド酢酸等のアクリルアミド類；
ジビニルベンゼン、ジビニルエーテル、ジビニルエチレン尿素等のジビニル化合物；
ジアリルフタレート、ジアリルマレート、ジアリルアミン、トリアリルアミン、トリアリルアンモニウム塩、ペンタエリスリトールのアリルエーテル化体、分子中に少なくとも２個のアリルエーテル単位を有するスクローゼのアリルエーテル化体等のポリアリル化合物；
ビニル（メタ）アクリレート、アリル（メタ）アクリレート、２−ヒドロキシ−３−アクリロイルオキシプロピル（メタ）アクリレート、２−ヒドロキシ−３−アクリロイルオキシプロピル（メタ）アクリレート等の不飽和アルコールの（メタ）アクリル酸エステル等が挙げられる。
【００１８】
親水性モノマーとしては、例えば、
（１）アミノ基、アンモニウム基、ピリジル基、イミノ基、ベタイン構造等のカチオン性基含有ビニルモノマー及び／又はその塩（以下、「カチオン性モノマー」と記載することがある）、
（２）水酸基、アミド基、エステル構造、エーテル構造等の親水性の非イオン性基含有ビニルモノマー（以下、「非イオン性モノマー」と記載することがある）、
（３）カルボキシル基、スルホン酸基、リン酸基等のアニオン性基含有ビニルモノマー及び／又はその塩（以下、「アニオン性モノマー」と記載することがある）
（４）その他のモノマー等が挙げられる。
【００１９】
具体的には、
（１）カチオン性モノマーとしては、ジメチルアミノエチル（メタ）アクリレート、ジエチルアミノエチル（メタ）アクリレート、ジプロピルアミノエチル（メタ）アクリレート、ジイソプロピルアミノエチル（メタ）アクリレート、ジブチルアミノエチル（メタ）アクリレート、ジイソブチルアミノエチル（メタ）アクリレート、ジｔ−ブチルアミノエチル（メタ）アクリレート、ジメチルアミノプロピル（メタ）アクリルアミド、ジエチルアミノプロピル（メタ）アクリルアミド、ジプロピルアミノプロピル（メタ）アクリルアミド、ジイソプロピルアミノプロピル（メタ）アクリルアミド、ジブチルアミノプロピル（メタ）アクリルアミド、ジイソブチルアミノプロピル（メタ）アクリルアミド、ジｔ−ブチルアミノプロピル（メタ）アクリルアミド等の炭素数２〜４４のジアルキルアミノ基を有する（メタ）アクリル酸エステル又は（メタ）アクリルアミド；
ジメチルアミノスチレン、ジメチルアミノメチルスチレン等の総炭素数２〜４４ジアルキルアミノ基を有するスチレン；
２−又は４−ビニルピリジン等のビニルピリジン；Ｎ−ビニルイミダゾール等のＮ−ビニル複素環化合物類；
【００２０】
アミノエチルビニルエーテル、ジメチルアミノエチルビニル等のビニルエーテル類；等のアミノ基を有するモノマーの酸中和物又はこれらのモノマーをハロゲン化アルキル（炭素数１〜２２）、ハロゲン化ベンジル、アルキル（炭素数１〜１８)もしくはアリール（炭素数６〜２４）スルホン酸又は硫酸ジアルキル（総炭素数２〜８）等により４級化したもの；
【００２１】
ジメチルジアリルアンモニウムクロライド、ジエチルジアリルアンモニウムクロライド等のジアリル型４級アンモニウム塩、Ｎ−（３−スルホプロピル）−Ｎ−（メタ）アクリロイルオキシエチル−Ｎ，Ｎ−ジメチルアンモニウムベタイン、Ｎ−（３−スルホプロピル）−Ｎ−（メタ）アクリロイルアミドプロピル−Ｎ，Ｎ−ジメチルアンモニウムベタイン、Ｎ−（３−カルボキシメチル）−Ｎ−（メタ）アクリロイルアミドプロピル−Ｎ，Ｎ−ジメチルアンモニウムベタイン、Ｎ−カルボキシメチル−Ｎ−（メタ）アクリロイルオキシエチル−Ｎ，Ｎ−ジメチルアンモニウムベタイン等のベタイン構造を有するビニルモノマー等のモノマーが例示される。
これらのカチオン性基の中でも、アミノ基及びアンモニウム基含有モノマーが好ましい。
【００２２】
（２）非イオン性モノマーとしては、ビニルアルコール；
Ｎ−ヒドロキシプロピル（メタ）アクリルアミド、ヒドロキシエチル（メタ）アクリレート、Ｎ−ヒドロキシプロピル（メタ）アクリルアミド等のヒドロキシアルキル（炭素数１〜８）基を有する（メタ）アクリル酸エステル又は（メタ）アクリルアミド；
ポリエチレングリコール（メタ）アクリレート（エチレングリコールの重合度が１〜３０）等の多価アルコールの（メタ）アクリル酸エステル；
（メタ）アクリルアミド；
Ｎ−メチル（メタ）アクリルアミド、Ｎ−ｎ−プロピル（メタ）アクリルアミド、Ｎ−イソプロピル（メタ）アクリルアミド、Ｎ−ｔ−ブチル（メタ）アクリルアミド、Ｎ−イソブチル（メタ）アクリルアミド等のアルキル（炭素数１〜８）（メタ）アクリルアミド；
Ｎ,Ｎ−ジメチル（メタ）アクリルアミド、Ｎ,Ｎ−ジエチル（メタ）アクリルアミド、Ｎ，Ｎ−ジメチルアクリルアミド、Ｎ，Ｎ−ジエチルアクリルアミド等のジアルキル（総炭素数２〜８）（メタ）アクリルアミド；
ジアセトン（メタ）アクリルアミド；Ｎ−ビニルピロリドン等のＮ−ビニル環状アミド；
メチル（メタ）アクリレート、エチル（メタ）アクリレート、ｎ−ブチル（メタ）アクリレート等のアルキル（炭素数１〜８）基を有する（メタ）アクリル酸エステル；
Ｎ−（メタ）アクロイルモルホリン等の環状アミド基を有する（メタ）アクリルアミドが例示される。
なかでも、ビニルアルコール、（メタ）アクリルアミド系モノマー及び上記のヒドロキシアルキル（炭素数１〜８）基を有する（メタ）アクリル酸エステル、上記の多価アルコールの（メタ）アクリル酸エステルが好ましい。
【００２３】
（３）アニオン性モノマーとしては、（メタ）アクリル酸、マレイン酸、イタコン酸等の重合性の不飽和基を有するカルボン酸モノマー及び／又はその酸無水物（１つのモノマー中に２つ以上のカルボキシル基を有する場合）；
スチレンスルホン酸、２−（メタ）アクリルアミド−２−アルキル（炭素数１〜４）プロパンスルホン酸等の重合性の不飽和基を有するスルホン酸モノマー；
ビニルホスホン酸、（メタ）アクリロイロキシアルキル（炭素数１〜４）リン酸等の重合性の不飽和基を有するリン酸モノマー等が例示される。
アニオン性基は、塩基性物質により任意の中和度に中和されてもよい。この場合、ポリマー中の全てのアニオン性基又はその一部のアニオン性基は、塩を生成する。ここで、塩における陽イオンとしては、アンモニウムイオン、総炭素数３〜５４のトリアルキルアンモニウムイオン（例えば、トリメチルアンモニウムイオン、トリエチルアンモニウムイオン）、炭素数２〜４のヒドロキシアルキルアンモニウムイオン、総炭素数４〜８のジヒドロキシアルキルアンモニウムイオン、総炭素数６〜１２のトリヒドロキシアルキルアンモニウムイオン、アルカリ金属イオン、アルカリ土類金属イオン等が例示される。
中和は、モノマーを中和しても、ポリマーにしてから中和してもよい。
【００２４】
（４）上述したビニルモノマー以外、Ｎ−ビニル−２−ピロリドン、ヒドロキシエチルメタクリレート、ヒドロキシエチルアクリレート等の水素結合可能な活性部位を有するモノマーであってもよい。
【００２５】
上記塩化ビニル系樹脂の製造方法は、特に限定されず、従来公知の任意の重合方法を利用することができる。例えば、塊状重合方法、溶液重合方法、乳化重合方法、懸濁重合方法等が挙げられる。
塩素化の方法としては、特に限定されるものではなく、当該分野で公知の方法、例えば、特開平９−２７８８２６号公報、特開２００６−３２８１６５号公報、国際公開ＷＯ／２００８／６２５２６号等に記載の方法を使用することができる。なお、塩化ビニル系樹脂の塩素含有率は、５６．７〜７３．２％であることが好ましい。また、塩素化塩化ビニル系樹脂としての塩素含有率は、５８〜７３．２％であるものが適しており、６０〜７３．２％であるものが好ましく、６７〜７１％であるものがより好ましい。
【００２６】
塩化ビニル系樹脂は、重合度が２５０〜３０００程度であることが好ましく、５００〜１３００であることがより好ましい。重合度が低すぎると、紡糸する際の溶液粘度が低下し、製膜作業が困難となり、また、作成した水処理膜の強度が乏しくなる傾向がある。一方、重合度が高すぎると、粘度が高くなりすぎることに起因して、製膜された水処理膜に気泡の残留をもたらす傾向がある。ここでの重合度はＪＩＳ  Ｋ  ６７２０−２に準拠して測定した値を意味する。
重合度を上記の範囲に調整するためには、反応時間、反応温度等の当該分野において公知の条件を適宜調節することが好ましい。
【００２７】
樹脂溶液は、なかでも、ポリ塩化ビニル（ホモポリマー）、ポリ塩素化塩化ビニル（ホモポリマー）又は塩化ビニルと塩素化塩化ビニルとのコポリマーを単一素材として含有することが好ましい。
ただし、樹脂溶液には、製膜時における成形性、熱安定性等を向上させる目的で、添加剤、例えば、滑剤、熱安定剤、製膜助剤等をブレンドしてもよい。これらは単独で又は２種以上を組み合わせて用いてもよい。
滑剤としては、ステアリン酸、パラフィンワックス等が挙げられる。
熱安定剤としては、一般に塩化ビニル系樹脂の成形に用いられる錫系、鉛系、Ｃａ／Ｚｎ系の各安定剤が挙げられる。
製膜助剤としては、各種重合度のポリエチレングリコール、ポリビニルピロリドン等の親水性高分子が挙げられる。
【００２８】
樹脂溶液とするために用いられる溶媒は、樹脂に対する良溶媒であれば特に限定されるものではなく、通常、樹脂を合成する際に利用した溶媒をそのまま利用することができる。
樹脂として塩化ビニル系樹脂を用いる場合には、例えば、ジメチルスルホキシド、Ｎ，Ｎ−ジメチルホルムアミド、テトラヒドロフラン、Ｎ，Ｎ−ジメチルアセトアミド、Ｎ−メチル−２−ピロリドン等が挙げられる。これらは単独又は２種以上を混合して使用することができる。
【００２９】
樹脂成分は、例えば、樹脂溶液の全重量に対して１０〜５０重量％であることが好ましく、１０〜３０重量％であることがより好ましい。この範囲とすることにより、相分離を適度に早めることができるとともに、得られる中空糸膜において十分な強度を確保することができる。
また、別の観点から、例えば、５００〜４０００ｍＰａ・ｓ程度の粘度とすることが適しており、１０００〜３０００ｍＰａ・ｓ程度が好ましい。これにより、紡糸ライン中で水処理膜の外形の真円度を確保することができ、均一な太さ・膜厚の膜を製造することができる。
粘度は、例えば、レオメーターによって測定した値とすることができる。
さらに別の観点から、後述する非溶媒との比重差を１．０以内に調製することが適しており、０．８以内が好ましく、さらに０．２以内がより好ましい。これにより、膜の引き取り中に、凝固槽内で膜自体が浮いたり又は沈んだり、扁平することを有効に防止することができる。
【００３０】
（ｂ）樹脂溶液の凝固
上述したように、樹脂溶液は、非溶媒とともに、凝固槽中に吐出して凝固させることにより、中空糸膜として成形することができる。
樹脂溶液及び非溶媒の凝固槽中への吐出は、通常、紡糸金型が利用される。この紡糸金型は、二重管構造の吐出口を有するノズルが用いられ、この二重管構造のノズルの内側ノズルに非溶媒を供給し、外側ノズルに樹脂溶液を供給し、これら非溶媒及び樹脂溶液を、その吐出口から吐出させる。
ここでの内側ノズルに供給される非溶媒としては、用いる樹脂によって適宜選択することができるが、後述する凝固槽内に充填されている非溶媒と同様のものを利用することができる。なかでも、水又は水を主体とした溶媒であることが好ましい。
また、凝固槽には、通常、非溶媒が充填されており、樹脂溶液を非溶媒が充填された凝固槽中に吐出することにより、樹脂溶液が凝固して中空糸膜とすることができる。
【００３１】
例えば、樹脂溶液を凝固させるために、図１に示すような凝固槽３０が用いられる。
凝固槽３０には、凝固槽３０内に紡糸できるように、凝固槽の内又は外に、あるいは外から内に移動可能に、紡糸金型３１の吐出口が配置される。例えば、吐出口（図示せず）を備えた紡糸金型３１が、凝固槽３０内部に、つまり、非溶媒に浸漬されて配置されているものが挙げられる。この場合、吐出口は槽内における非溶媒中に浸漬した状態で樹脂溶液の吐出が開始される。また、まず空気中に樹脂溶液を吐出し、そのまま樹脂溶液を吐出した状態で、吐出口を槽内における非溶媒中に浸漬してもよい。さらに、図１に示したように、紡糸金型３１は凝固槽の直上に配置され、まず空気中に樹脂溶液を吐出し、そのまま樹脂溶液を連続して吐出し、樹脂溶液を重力によって凝固槽３０内に落下させてもよい。
【００３２】
このように、凝固槽３０の直上に紡糸金型３１が配置されている場合には、樹脂溶液が一旦空気に接触することに起因した性能の制御が可能となる。また、その直後に、落下によって樹脂溶液が凝固槽内に浸漬し、速やかに液−液相分離を開始させることができるため、得られる中空糸膜は、多孔質な表面を得ることができる。その結果、ろ過抵抗が低下することに起因してすぐれた透水量を発現させることができる。さらに、空気中であらかじめ樹脂溶液を吐出するために、凝固槽中に金型を沈めて吐出することに比較して、ノズル先端に非溶媒に起因する吐出抵抗が付加されることがなく詰まりを回避することができる。
【００３３】
紡糸金型３１からの樹脂溶液の吐出方向、つまり、吐出口から排出される樹脂溶液の方向は、例えば、鉛直方向±３０°の範囲内に調整する。言い換えると、地面に対して−６０°〜＋６０°以内に、樹脂溶液が吐出するように吐出方向を調整する。ここでの＋方向とは、凝固した膜を最終的に引取る側に向かう方向を、−方向とは、最終的に引取る側とは逆に向かう方向を意味する。また、最終的に引取る側に向かう方向とは、後述するように水平方向に引取る方向を意味する。これにより、樹脂溶液を重力によって落下させることができ、そのために、吐出直後に樹脂溶液（又は凝固した膜）に負荷がかからず、均質な形状を維持することができる。
【００３４】
凝固槽に充填されている非溶媒としては、上述した樹脂溶液の種類により適宜選択することができるが、例えば、主成分が水であるものが好ましい。
凝固槽中の非溶媒は、樹脂溶液に直接接触するものであることから、吐出口から吐出される樹脂溶液の温度（又は紡糸金型）と、非溶媒の温度との差を、１００℃程度以内とすることが好ましい。これにより、樹脂溶液の急激な温度低下およびそれに伴う樹脂溶液の粘度の急上昇による紡糸金型の吐出口近傍での詰まりを防止することができる。また、非溶媒の温度を一定に保つことにより、樹脂溶液の相分離挙動を安定に維持することができ、透水性能・強度などの性能を安定的に発現させることが可能となる。
【００３５】
（ｃ）膜の引取り
製膜の際の膜の引き取りは、一般に直線方向に行うことが好ましいが、上述したように、防止金型が凝固槽直上に配置され、鉛直方向±３０°で吐出する場合、樹脂溶液の吐出後に膜の引き取り方向を変化させることが好ましい。この引き取り方向の変化は、緩やかであることが好ましい。具体的には、引取りは、Ｒ＝１〜１０ｍでの放物線状の進路で行うことが好ましく、３〜８ｍでの放物線状の進路がより好ましい。これにより、局所的な荷重の負荷を回避することができ、安定した引き取りが容易となり、膜構造の変形を最小限に留めることが可能となる。
膜の引取りは、例えば、ターンロールを介して行ってもよいし、ベルト状で引き取ってもよい。
なお、放物線状の進路での引取りは、凝固槽内で行うことが好ましい。
例えば、膜の引取りを、図１に示すように、ターンロール３２を利用して行う場合、金型３１の吐出口端面から１つ目のターンロールまでの距離は、例えば、１００ｃｍ以内であることが好ましく、５０ｃｍ以内であることがより好ましい。また、各ターンロールの間隔は、２００ｃｍ以内であることが好ましく、５０〜１５０ｃｍがより好ましい。ターンロールは、種々の大きさものを利用することができるが、例えば、その直径は１０ｃｍ程度以内が好ましい。
【００３６】
（ｄ）切断
膜の放物線状の進路での引取りの後、膜の引取りを水平方向とすることが好ましい。ただし、この場合の水平方向への進路変更も、緩やかであることが好ましく、例えば、Ｒ＝１〜２０ｍでの放物線状の進路で行うことが好ましく、先の鉛直方向からの進路変更よりもさらに緩やかであることがより好ましい。また、水平方向への進路変更は、凝固槽内で行ってもよいし、一部（後半）又は略全てが凝固槽外で行ってもよいが、前半の一部を凝固槽内で、後半の一部を凝固槽外で行うことが好ましい。
引き取り後の切断は、引取りが水平方向への進路となった状態で行うことが好ましい。これにより、切断時に負荷される加重が、切断部位の全体に負荷されることとなり、膜の変形を極力防止することができる。
膜の切断は凝固槽内で行なっても、槽外で行なってもよい。特に、凝固槽外で膜を切断する場合には、切断は、凝固槽内の紡糸金型の吐出口の位置よりも高い切断位置で行うことが好ましい。これによって、サイフォン効果による吐出された膜の先端からの内部凝固液の流出を防止し、そのことで膜内部の内部凝固液の圧力変化を最小限に留めることで、膜形状の扁平化をはじめとした、膜形状のバラつきを防止することができ、膜形状の安定化に効果を発揮する。この観点から、凝固槽内で切断する場合には、その切断する位置は特に限定されない。
【００３７】
本発明の製造方法によって得られる中空糸膜は、略単一素材による自立構造を有する中空糸膜とすることができる。
ここで単層構造とは、単一の素材から形成されている一層構造であることを意味する。通常、強度が弱い素材は、より強度の強い素材（セラミック、不織布等）から形成される支持体との複合材料にしないと所望の形状、例えば、円筒形状、チューブ形状等を維持することができない。従って、従来の比較的大口径の水処理膜は、膜を形成する素材以外に、水処理膜としての使用時に、所望の形状を保持できるよう、膜を支持する構造体として、筒状のセラミック又は筒状に成形した不織布等を伴っていた。
一方、本発明の製造方法によって得られた中空糸膜は、中空糸膜のみから形成されており、筒状などの所望の形状を変化させないような、異なる材料／素材（例えば、不織布、紙、金属、セラミック等）から形成される支持体を伴わない。言い換えると、本発明の中空糸膜は、単層構造で形成されており、異なる材料／素材による積層構造を採らない。にもかかわらず、このような構造であっても、水処理膜としての使用時に円筒、チューブ形状等の所望の形状が保持されるほどに十分な強度を有し、すなわち「自立性／構造」を有している。従って、支持体レスで大口径膜を実現することができる。このため、逆洗時においても、ろ過機能を担当する膜部分が支持体から剥離することもなく、また、セラミック等の支持体を用いたチューブ形状膜等とは異なり、優れた透水性能を確保することができる。
【００３８】
本発明の製造方法で得られる中空糸膜としては、例えば、その内径が４〜１０ｍｍ程度であるものとすることができる。また、肉厚は０．１５〜２．４ｍｍ程度の膜とすることができる。
なお、膜の内外径、肉厚等は、電子顕微鏡写真等を用いた実測などによって測定することができる。
【００３９】
本発明の中空糸膜の製造方法で得られる中空糸膜は、通常、その表面に多数の微細孔を有する多孔質膜とすることができる。その微細孔の平均孔径は、例えば、０．００１〜１０μｍ程度、好ましくは０．０１〜１μｍ程度が挙げられる。膜表面の細孔の大きさ及び密度は、上述した内径、肉厚、得ようとする特性等によって適宜調整することができ、例えば、後述する透過水量を実現することができる程度であることが適している。よって、このような微細孔の多孔によって、水処理膜としての機能を果たすとともに、この微細孔の大きさ及び密度等によって、例えば、限外ろ過膜又は精密ろ過膜の分画性を調整することができる。なお、一般に、限外ろ過膜は、孔の大きさが２〜２００ｎｍ程度の膜、精密ろ過膜は、５０ｎｍ〜１０μｍ程度の膜であることが知られている。
【００４０】
空孔率は、例えば、１０〜９０％程度、好ましくは２０〜８０％程度が挙げられる。ここでの空孔率は、任意の横断面（中空糸膜の径方向の断面、以下同じ）における中空糸膜の全面積に対する空孔の全面積の割合を意味し、例えば、膜横断面の顕微鏡写真から各面積を算出して求める方法が挙げられる。
【００４１】
例えば、中空糸膜の径方向の断面において、
前記中空糸膜の断面積に対する空孔率が３０〜８５％程度であることが好ましく、５０〜８５％程度、４０〜７５％程度又は５０〜７５％程度であることがより好ましい。
また、中心から半径方向にわたって、最内層、内層、外層及び最外層を構成する空孔が層状に分布しているものが好ましい。これにより、透水性能を保ちながら中空糸膜に内圧・外圧を印加した場合の応力集中を分散して膜全体の強度を保つことが可能となる。
【００４２】
本発明の製造方法で得られた中空糸膜は、膜間差圧１００ｋＰａにおける純水の透過水量が１００Ｌ／（ｍ2・ｈ）程度以上、２００Ｌ／（ｍ2・ｈ）程度以上であることが適しており、６００Ｌ／（ｍ2・ｈ）程度以上、８００Ｌ／（ｍ2・ｈ）程度以上、あるいは１０００Ｌ／（ｍ2・ｈ）程度以上を実現することができる。
また、膜の耐内圧強度が０．３ＭＰａ程度以上、０．５ＭＰａ程度以上、さらに、１．０ＭＰａ程度以上を実現することができる。
さらに、膜の耐外圧強度が０．１ＭＰａ程度以上、０．３ＭＰａ程度以上、さらに、０．７ＭＰａ程度以上を実現することができる。
特に、膜間差圧１００ｋＰａにおける純水の透過水量が１００Ｌ／（ｍ2・ｈ）程度以上、膜の耐内圧強度が０．３ＭＰａ程度以上かつ耐外圧強度が０．１ＭＰａ程度以上を実現することができる。
【００４３】
本発明の製造方法によって得られた中空糸膜は、上述した方法を実現するために、特に、形状が安定しており、透過水量と物理的強度とのバランスに優れている。従って、分離膜として既存の水処理装置に好適に利用することができ、水の精製を目的とする好適な水処理、特に、高濃度排水の水処理が可能となる。このような特性を有する本発明の中空糸膜は、限外濾過（ＵＦ）膜及び精密濾過（ＭＦ）膜として好適に利用することができる。
【００４４】
また、本発明の製造方法によって得られた中空糸膜は、十分な強度を保ちながら従来中空糸形状の水処理膜に比べて大きな内径をもつことができるため、生物処理された排水のような、比較的大きなフロックが含まれた排水を内圧ろ過する際にも、膜の端面、すなわち排水が導入される入り口で膜が詰まることがない。
【００４５】
以下、本発明の中空糸膜の製造方法を、実施例に基づいて詳細に説明する。なお、本発明は、これら実施例のみに限定されるものではない。また、実施例における配合量は、特に断りのない限り重量基準で示す。
【００４６】
実施例
ジメチルアセトアミドに、塩素化塩化ビニル樹脂（積水化学工業株式会社製、ＨＡ−３１Ｋ）を２４重量％、製孔剤としてポリエチレングリコール４００を２６重量％溶解させた。この樹脂溶液を、図１に示したように、同軸ノズルより略鉛直方向に吐出し、Ｒ＝３ｍの放物線（図１中、矢印Ｂ参照）状の進路にて膜を引取った。その後、膜の進路を水平方向に変更し、引取り方向が水平状態で膜を切断（図１中、矢印Ａ参照）した。
ここでは、ノズル端面から１つ目のターンロールまでの距離を１５ｃｍ、ターンロールの間隔を５０ｃｍとした。
得られた中空糸膜の外径は５．１mm、内径は４．９mmであった。また、この中空糸膜は、折れや曲がり、そりがない、偏肉のない均一な形状であった。
【００４７】
得られた中空糸膜の破裂強度は、両端が封止された単糸へ加圧したときに、破裂に至る圧力の値を意味する。
その結果、内圧に対して１．０ＭＰａ、外圧に対して０．８ＭＰａであった。
また、得られた膜について、２５℃、膜間差圧０．１ＭＰａの条件で内圧式試験により純水を通し、外側に透過する水の量と、有効膜面積及び膜間差圧から透水性能を計算した。その結果、純水透水性能は、内圧０．０５〜０．１５ＭＰａにおいて、十分な透水性能を示した。
【産業上の利用可能性】
【００４８】
本発明は、水処理装置の態様等にかかわらず、河川水及び地下水の除濁、工業用水の清澄、排水及び汚水処理、海水淡水化の前処理等の水の精製等のために使用される水処理膜、精密濾過膜等として、広範に利用することができ、特に、ＭＢＲに有利に使用することができる。
【符号の説明】
【００４９】
３０  凝固槽
３１  紡糸金型
３２  ターンロール
【図１】
2013116461.tif 000003